(57)【要約】【課題】  光反射層の形状を変化させる事により光反射層を焼き切る状況よりも光反射率変化量を少なくさせる事で層間クロストークの影響を低減させ、安定したＢＣＡマークからの再生信号を得る事が出来る追記型多層光ディスク、記録方法、再生方法及び光ディスク装置を提供する。【解決手段】  青紫ないし青の光を用いて記録再生が行われる記録層が複数積層された光ディスクにおいて、光の入射面から見て、手前の層をＬ０層とし、奥の層をＬ１層とした場合に、前記Ｌ１層の記録層の上に光反射層がさらに積層され、６００ｎｍないし８００ｎｍの範囲内の前記光が照射されると、前記光反射層が局所的に変形されることを特徴とする。【選択図】      図８
2008010079.tif 000002
【特許請求の範囲】
【請求項１】
青紫ないし青の光を用いて記録再生が行われる記録層が複数積層された光ディスクにおいて、光の入射面から見て、手前の層をＬ０層とし、奥の層をＬ１層とした場合に、前記Ｌ１層の記録層の上に光反射層がさらに積層され、６００ｎｍないし８００ｎｍの範囲内の前記光が照射されると、前記光反射層が局所的に変形されることを特徴とする追記形多層光ディスク。
【請求項２】
前記Ｌ１層は、４５０ｎｍ以下の波長の光により情報記録が行われるデータエリアよりも内周側に、前記６００ｎｍないし８００ｎｍの範囲内の波長の光により特定情報が記録されるバーストカッティングエリアを持ち、このバーストカッティングエリアには前記６００ｎｍないし８００ｎｍの範囲内の波長の光に対して高い吸光度を持つ第１の有機材料が用いられ、このバーストカッティングエリアに重なる前記Ｌ０層の部分には前記６００ｎｍないし８００ｎｍの範囲内の波長の光に対して相対的に低い吸光度を持つ第２の有機材料が用いられる請求項１に記載の追記形多層光ディスク。
【請求項３】
請求項１項に記載の追記形多層光ディスクに対して、前記６００ｎｍないし８００ｎｍの範囲内の波長の光を前記Ｌ０層越しに前記Ｌ１層のバーストカッティングエリアに照射して、このバーストカッティングエリアに、その追記形多層光ディスクに関する特定情報を記録して前記Ｌ１層の前記光反射層を変形させることを特徴とする記録方法。
【請求項４】
請求項１項に記載の追記形多層光ディスクに対して、光を前記Ｌ０層越しに前記Ｌ１層のバーストカッティングエリアに照射して、このバーストカッティングエリアから、その追記形多層光ディスクに関する特定情報を再生することを特徴とする再生方法。
【請求項５】
請求項１項に記載の追記形多層光ディスクに情報記録を行う装置であって、
前記追記形多層光ディスクに光を照射する照射手段と、
前記照射手段によって照射された前記光からの反射光を受光する受光手段と、
前記受光手段によって受光された前記反射光に基づいて、前記光ディスクを再生する再生手段とを有することを特徴とする光ディスク装置。
【発明の詳細な説明】
【技術分野】
【０００１】
この発明は、片面当たり２層以上の記録層を有する片面多層光ディスクに関する。特に、受光面からみて奥側の層にバーストカッティングエリア（ＢＣＡ：Burst Cutting Area）が記録される追記型多層光ディスクに関する。
【背景技術】
【０００２】
光を使って情報を高密度に記録再生する光ディスクには、利用者が手にする時点で予め情報が記録されている再生専用光ディスクと、利用者自らが記録する記録型光ディスクに大別することが出来る。さらに記録型光ディスクには何度でも書き換え可能な相変化型光ディスクや一度だけ記録可能な追記型光ディスクが存在する。いずれの光ディスクもディスク内周部から順にディスク管理情報領域（ＢＣＡ）、及び主情報記録領域が形成されている。
【０００３】
ＢＣＡにはディスクの管理情報が記録されており、再生専用ディスクの場合はバーコード状のマークとしてＢＣＡを予めスタンパに形成しておくため同一コンテンツである限り同じ情報が記録されたＢＣＡを持つディスクが大量に生産されることになる。一方記録型光ディスクの場合、工場出荷時に初期化装置などによりディスク１枚毎に異なるディスク管理情報をＢＣＡに形成する。光ディスクにＢＣＡを記録する方法として、特開２００４−１５２４２９号公報（特許文献１）に記載されている。
【特許文献１】特開２００４−１５２４２９号公報
【発明の開示】
【発明が解決しようとする課題】
【０００４】
上記特許文献１は、光ディスクにＢＣＡを記録する方法として、再生専用型および相変化記録型光ディスクにおいて、変調信号を回転モーターからの信号と同期させてバーコード状のパターン（ＢＣＡ：バーストカッティングエリア）を記録する。具体的には、再生専用型の光ディスクの反射膜をレーザーで焼き切る、または相変化記録型の光ディスクをレーザーで相変化させることで、バーコード状のパターン（ＢＣＡ）を記録することが記載されている。
【０００５】
しかしながら、このような特許文献１の技術では、再生専用型の光ディスクの反射マークをレーザーで焼き切る為、本実施例のように片方から複数の記録層を読み取り可能な構造では層間クロストークの影響が発生し、安定なＢＣＡマークからの信号再生が不安定となってしまうといった問題が生じる。
【０００６】
そこで、本発明の目的は、上記の問題を解決するために成されたものであり、光反射層の形状を変化させる事により光反射層を焼き切る状況よりも光反射率変化量を少なくさせる事で層間クロストークの影響を低減させ、安定したＢＣＡマークからの再生信号を得ることができる追記型多層光ディスク、記録方法、再生方法及び光ディスク装置を提供する。
【課題を解決するための手段】
【０００７】
上記した課題を解決するために、この発明は、青紫ないし青の光を用いて記録再生が行われる記録層が複数積層された光ディスクにおいて、光の入射面から見て、手前の層をＬ０層とし、奥の層をＬ１層とした場合に、前記Ｌ１層の記録層の上に光反射層がさらに積層され、６００ｎｍないし８００ｎｍの範囲内の前記光が照射されると、前記光反射層が局所的に変形されることを特徴とする。
【発明の効果】
【０００８】
この発明によれば、光入射面からみて奥側の層（レイヤー１（Ｌ１））に形成するＢＣＡでの光反射層の変化量を適正に設定する事で、光入射面に近い手前側の層であるレイヤー０（Ｌ０）とレイヤー１との間の層間クロストークの影響を低減させる事が出来る。
【発明を実施するための最良の形態】
【０００９】
以下、図面を参照してこの発明の種々な実施の形態を説明する。図１は、この発明の一実施の形態に係る追記型片面多層（２層）光ディスクのレイヤー１にバーストカッティングエリア（ＢＣＡ）が形成されることを説明する図である。ここでは、レーザ受光面側の基板１０１にレイヤー０が設けられ、レイヤー０と向き合わせにレイヤー１が設けられ、レイヤー１の上に基板１０２が配置されて、基板厚１．２ｍｍの張り合わせ２層ディスク１００が構成されている。このディスク１００の内周側のレイヤー１上に、そのディスクに固有の情報がバーコード状のパターン（マーク）で記録されるＢＣＡ（Burst Cutting Area）が設けられる。
【００１０】
個々の光ディスクにはディスク製造時にディスク固有の情報を予め記録しておくことが望ましい。このとき記録されるディスク固有の情報は、例えばコピープロテクションなどで個々のディスクを識別する必要のあるとき等に使用される。ＣＤ、ＤＶＤ、ＢＤ、ＨＤ＿ＤＶＤなどの光ディスクにおいて、このようなディスク固有の情報（ＢＣＡレコード等）は、ＢＣＡと呼ばれるバーコード状のパターンとして、図１のように予めディスク内周部に刻まれる。その際、再生専用の２層光ディスクの場合には記録再生光の入射面から見て奥側の層に記録されるのが一般的である。
【００１１】
近年、光ディスクの大容量化への要望に応じ、再生専用型でなく記録型の光ディスクについても片面２層の光ディスクが開発されている。再生専用型と互換性を保つためには、記録型の２層光ディスクでも記録再生光の入射面から見て奥側の層にこのＢＣＡ信号を記録することが望ましい。しかしそれにはいくつかの問題点が存在する。以下にＢＣＡの記録方法を述べると共に２層化した場合の問題点を挙げる。
【００１２】
ＢＣＡをディスクに設けるには、光ディスク成形時の型となるスタンパにＢＣＡのパターンを刻んでおくという方法がある。しかしディスク一枚一枚に別個の固有の情報を記録するためには、製盤後のディスクに対して例えばレーザ光によりＢＣＡパターンを刻む必要がある。通常、再生専用ディスクに対してＢＣＡを記録する場合は、レーザで反射膜（アルミニウムや銀またはその合金）を焼ききることでパターンを作製する。また相変化記録型ディスクに対してＢＣＡを記録する場合は、レーザで記録膜を相変化させて反射率を変えることでパターンを作製する。
【００１３】
一方、有機色素材料を用いた追記型の光ディスクの場合では、色素の感度は波長に対して非常に敏感であるため、短波長（例えば４０５ｎｍ）対応の色素を用いた次世代光ディスク（例えばＢＤやＨＤ＿ＤＶＤ）に対して長波長（例えば６５０ｎｍ、６８０ｎｍ、あるいは７８０ｎｍ）のレーザを用いた現行のＢＣＡ記録装置を適用しても、満足にＢＣＡパターンを記録できない。この場合、ＢＣＡ記録装置のレーザパワーを強める事やＢＣＡ記録装置のレーザ波長をデータ記録波長（例えば４０５ｎｍ）に合わせて変更する事が考えられる。しかし、ＢＣＡの情報は手前の層（Ｌ０）越しに奥の層（Ｌ１）に記録するため、ＢＣＡ記録装置の焦点深度が非常に深い（若しくはＢＣＡ記録光が平行光）事と相まって、この方法では手前の層の色素も反応してしまう。そしてそれがＢＣＡ信号再生時にノイズ（層間クロストーク信号）となってしまう。
【００１４】
そこで、この発明の実施の形態では、データの記録再生に用いる波長をＡ（ｎｍ）、ＢＣＡ記録装置の波長をＢ（ｎｍ）としたとき、ＢＣＡを記録しない手前の層（Ｌ０）よりもＢＣＡを記録する奥の層（Ｌ１）の方が波長Ｂに対する記録感度が高くなるように、使用する有機材料を選定している。実データ（ＭＰＥＧ４ＡＶＣなどでエンコードされた高精細ビデオデータ等）の記録に用いる波長とＢＣＡ情報の記録に用いる波長を別（Ａ≠Ｂ）にしたままで、奥の層（Ｌ１）だけにＢＣＡ記録装置の波長にも対応した色素を用いる（例えば、４０５ｎｍ付近に感度を持つ色素と６５０ｎｍ〜７８０ｎｍ付近に感度を持つ色素といった、感度の違う２種類の色素を混合する）ことで、奥の層（Ｌ１）のみにＢＣＡ信号を選択的に記録することができる。ＢＣＡを記録する奥の層（Ｌ１）に相応しい色素の吸光度特性の実例については、図７を参照して後述する。
【００１５】
この実施の形態では、直径１２０ｍｍで厚さが１．２ｍｍ（０．６ｍｍのポリカーボネート成形基板２枚の貼り合せ）であり、かつ有機色素材料を用いた記録層を２層持つ追記型の光ディスクを例示している。記録再生光については波長（λ）４０５ｎｍで開口数（ＮＡ）０．６５の光学系を用いることとする。データ記録領域のグルーブ間トラックピッチは例えば４００ｎｍであり、ＢＣＡ領域の位置は例えば半径２２．２ｍｍ〜２３．１ｍｍの間とする。また、ＢＣＡパターンは、例えば幅（接線方向）数十μｍ、長さ（径方向）数百μｍ程度のバーコード状のパターンで構成される。
【００１６】
なお、この発明の実施の形態は上記例示に限られるわけではない。例えば、表面に０．１ｍｍのカバー層を設けた光ディスクでも良く、直径８０ｍｍの光ディスクでも良く、更に高密度のトラックピッチパターンでも良く、更に短波長（例えばλが４００ｎｍ以下）のレーザを使用しても良く、更に高開口数（ＮＡが例えば０．８〜０．９）の光学系（対物レンズ）を使用しても良い。
【００１７】
この発明の実施の形態に係る追記型多層光ディスクの具体的な材料例としては、成形基板がポリカーボネート；成形に用いるスタンパがニッケル（Ni）；記録層がアゾ系、ジアゾ系、シアニン系、フタロシアニン系、スチリル系、もしくはこれらの混合物からなる有機色素材料；反射膜が銀（Ag）、アルミ（Al）、金（Au）またはこれらをベースとする金属化合物；接着剤はアクリル系またはエポキシ系の紫外線硬化樹脂、とすることができる。これらの材料についても、上記の例示に限られるわけではない。ただしこの発明は記録層を複数持つ追記型光ディスクに関してのものであり、その代表例としての片面２層追記型光ディスクについては、その製造方法等を、図６を参照して後述する。
【００１８】
図２は、図１のＢＣＡに記録されるＢＣＡレコードの内容例を説明する図である。図２（ａ）に例示されるように、このレコードには、相対バイト位置０〜１にＢＣＡレコードＩＤ（ＨＤ＿ＤＶＤブックタイプ識別子を示す）が記述され、相対バイト位置２に適用規格のバージョン番号が記述され、相対バイト位置３にデータ長が記述され、相対バイト位置４に規格書のブックタイプとディスクタイプが記述され、相対バイト位置５に拡張パートバージョンが記述され、相対バイト位置６〜７はその他の情報記述用に予約されている。
【００１９】
ＢＣＡレコードのうち、そのディスクが準拠する規格書のブックタイプとディスクタイプの欄は、図２（ｂ）に例示されるようになっている。すなわち、ブックタイプにはＨＤ＿ＤＶＤ−Ｒ用の規格であることを示す情報を記述できるようになっており、ディスクタイプにはマーク極性フラグとツインフォーマットフラグを記述できるようになっている。
【００２０】
図２（ｂ）のマーク極性フラグは、“0b”のときは記録マークからの信号が（隣接マーク間の）スペースからの信号よりも大きい“Low-to-High”ディスクであることを示し、“1b”のときは記録マークからの信号がスペースからの信号よりも小さい“High-to-Low”ディスクであることを示すことができる。また、ツインフォーマットフラグは、“0b”のときはツインフォーマットディスクではなく、“1b”のときはツインフォーマットディスクであることを示すことができる。ツインフォーマットディスクであるときは、（そのＢＡＣレコードが記録された）ディスクが２つの記録層を持ち、各層がＤＶＤフォーラムで規定された別個のフォーマット（例えばHD_DVD-Video formatとHD_DVD-Video Recording format）を持つことになる。
【００２１】
現行ＤＶＤではツインフォーマットディスクは存在しないが、次世代のＨＤ＿ＤＶＤではツインフォーマットディスクが存在し得るので、ＢＣＡにツインフォーマットフラグを記述できるようになっていることは、この発明の一実施の形態に係る追記型多層（２層）光ディスク（次世代のＨＤ＿ＤＶＤ用のディスク）にとって大きな意味がある。
【００２２】
図３は、図２のＢＣＡレコード等を含む特定情報を図１のＢＣＡに記録する装置の構成例を説明する図である。ＢＣＡ記録装置によるＢＣＡ信号（図２のＢＣＡレコード等の情報を含む信号）の記録は、完成形となったディスク１００に対して行われる。コントローラ２０２からのＢＣＡ信号に応じてレーザ２１０を変調し、ディスク１００の回転に同期させてバーコード状のＢＣＡマークを記録する。ＢＣＡ記録装置のレーザ波長には、６００ｎｍ〜８００ｎｍ（一般的には６５０ｎｍ〜７８０ｎｍあるいは６８０ｎｍ〜７８０ｎｍ）の範囲内の１つが採用される。ＢＣＡの記録場所は、２層光ディスクならば一般的にレイヤー１の内周部半径２２．２ｍｍ〜２３．１ｍｍ付近にある。ＢＣＡ記録を行う際はレイヤー０越しにレイヤー１にレーザを照射することになるが、この発明の実施の形態では波長６５０ｎｍ〜７８０ｎｍ（あるいは６８０ｎｍ〜７８０ｎｍ）での吸光度（感度）を調整してある（レイヤー１の感度＞レイヤー０の感度）。そのため、実質的な意味合いで、レイヤー１にのみ選択的にＢＣＡ信号を正確に記録することができる。
【００２３】
このように各層の色素の感度（使用波長における吸光度）を調整することで、現在ＤＶＤ製造ラインで一般的に使われているＢＣＡ記録装置のレーザ波長とレーザパワーそのままで、次世代光ディスクに対してＢＣＡ信号を記録することができる。また、レイヤー１だけに選択的にＢＣＡ信号を記録することが可能なため、再生時にはレイヤー０からの余分なクロストークノイズも無い。
【００２４】
すなわち、この発明の一実施の形態において、各層（Ｌ０、Ｌ１等）の色素の感度を調整する（例えば６００ｎｍ〜８００ｎｍまたは６５０ｎｍ〜７８０ｎｍもしくは６８０ｎｍ〜７８０ｎｍにおけるレイヤー１色素の感度もしくは吸光度が、レイヤー０の色素の感度もしくは吸光度よりも大きくなるような有機材料を用いる）。そうすることで、現在ＤＶＤ製造ラインで一般的に使われているＢＣＡ記録装置のレーザ波長とレーザパワーのままで、次世代光ディスク（片面２層のＨＤ＿ＤＶＤ−Ｒ等）に対してＢＣＡ信号を記録することができる。その際、レイヤー１だけに選択的にＢＣＡ情報を記録することが可能なため、ＢＣＡ信号再生時にレイヤー０からの余分なクロストークノイズが混入しない。
【００２５】
図４は、図１の追記型片面多層（２層）光ディスクのレイヤー１に特定情報を記録（ＢＣＡポストカット）する手順の一例を説明するフローチャートである。図２のＢＣＡレコード等の特定情報を含むＢＣＡ信号が図３のコントローラ２０２からレーザ出力制御部２０８に供給されると、その信号内容に対応して、レーザダイオード２１０から、波長６００ｎｍ〜８００ｎｍ（または６５０ｎｍ〜７８０ｎｍ、もしくは６８０ｎｍ〜７８０ｎｍ）の中の１つの波長のレーザ光が、パルシブに発光する（ＳＴ１０）。こうして発光されたレーザ光パルスは、図１に示すディスク１００のレイヤー０越しに、レイヤー１のＢＣＡ記録場所に照射される（ＳＴ１２）。この照射はディスク１００の回転に同期して継続される。ＢＣＡへの記録情報の残りがなくなれば（ＳＴ１４イエス）、レイヤー０越しのレイヤー１へのＢＣＡポストカットが終了する。
【００２６】
図５は、図１の追記型片面多層（２層）光ディスクのレイヤー１から特定情報を再生する手順の一例を説明するフローチャートである。ＢＣＡに記録された情報を再生する際には、所定波長（例えば４０５ｎｍまたは６５０ｎｍ）のレーザ光がレイヤー０越しにレイヤー１のＢＣＡに照射される（ＳＴ２０）。その反射光から、その光ディスクに関する特定情報（図２のＢＣＡレコード等）が読み取られる（ＳＴ２２）。この読み取りはディスク１００の回転に同期して継続される。ＢＣＡからの読み取り情報の残りがなくなれば（ＳＴ２４イエス）、レイヤー０越しのレイヤー１からのＢＣＡ再生は終了する。
【００２７】
図６は、この発明の一実施の形態に係る追記型片面２層光ディスクの製造工程例を説明する図である。この２層追記型光ディスクの作製方法を図６に沿って以下に述べる。まず射出成形によりレイヤー０の成形板を作製する（ブロック０３０１）。成形材料は一般的にポリカーボネートである。レイヤー０の成形の型に使うスタンパはレーザ露光されたフォトレジストパターンからＮｉメッキにより作製される。成形板の寸法は直径１２０ｍｍ、内径１５ｍｍ、厚さ０．６ｍｍである。この成形板に対して記録層となる有機色素材料を周知のスピンコート法により塗布し、反射膜となる金属膜（例えば銀または銀合金）を周知のスパッタ法などにより成膜する（ブロック０３０２）。なお、このレイヤー０は、レーザ光が通過できるよう半透明である。
【００２８】
これと並行してレイヤー１の型となるプラスチックスタンパを同じく射出成形により作製する（ブロック０３０３）。成形材料は、一般的にはシクロオレフィンポリマーであるが、ポリカーボネートやアクリルなどでも良い。レイヤー１のＮｉスタンパは同じくレーザ露光したフォトレジストのメッキにより作製するが、パターンの凹凸はレイヤー０と逆にしておく。
【００２９】
記録層を形成したレイヤー０成形板とプラスチックスタンパをフォトポリマーを介して貼り合わせて、紫外線を照射して硬化させる（ブロック０３０４）。その後、プラスチックスタンパを剥がしてレイヤー１パターンが転写されたフォトポリマー層を剥き出しにする（ブロック０３０５）。次に、このレイヤー１のフォトポリマー上に、記録層となる有機色素材料をスピンコートにより塗布し、さらに反射膜となる金属膜（例えば銀または銀合金）をスパッタ法などにより成膜する（ブロック０３０６）。
【００３０】
それと平行してダミー板（材料はポリカーボネート等）を射出成形により作製し（ブロック０３０７）、これを紫外線硬化接着剤により貼り合わせる事で２層の追記型光ディスクが完成形となる（ブロック０３０８）。なお、図示しないが、ダミー板には、インクジェットプリンタ等によるユーザ印刷用の表面コーティングを施したり、ディスク製造（または販売）メーカのブランド名や製品名等のパターンを付加してもよい。
【００３１】
図７は、レイヤー０用色素材料にＣＤ−Ｒ／ＤＶＤ−Ｒ用色素材料を適量混合することによりレイヤー１のＢＣＡ用色素材料が得られることを説明する図で、レイヤー０およびレイヤー１に用いようとする有機色素材料の吸光度と波長との関係を例示している。
【００３２】
ここでは、一例として、ＢＣＡ情報を記録する奥の層（Ｌ１）に相応しい色素の吸光度特性のグラフを示す。図７に例示される色素は、波長４０５ｎｍでデータの記録再生を行う次世代光ディスク（ＢＤ、ＨＤ＿ＤＶＤ等）用の色素であるため、当然４０５ｎｍ前後に感度を持つが、それに加えて、図７のグラフＤのように、一般的なＢＣＡ記録装置のレーザ波長である６８０ｎｍ〜７８０ｎｍ（あるいは６５０ｎｍ〜７８０ｎｍもしくは６００ｎｍ〜８００ｎｍ）の範囲内で若干記録感度を持たせてある。使用するレーザ波長で感度を持つ有機色素材料をＢＣＡに用いれば、手前の層（Ｌ０）越しに奥の層（Ｌ１）へ正しくＢＣＡ情報を記録することができる。一方、手前の層（Ｌ０）の色素は、図７のグラフＡのように、６８０ｎｍ〜７８０ｎｍ（あるいは６５０ｎｍ〜７８０ｎｍもしくは６００ｎｍ〜８００ｎｍ）の範囲での記録感度を相対的に落としておく。そうすることで、奥の層（Ｌ１）のみに選択的にＢＣＡを記録することが可能となる。
【００３３】
＜ＢＣＡ記録のため６００ｎｍ〜８００ｎｍの範囲内に感度を持たせたレイヤー１用色素材料について＞
この発明の一実施の形態に係る追記型多層光ディスクは、波長４０５ｎｍでデータの記録再生を行うディスクであるため。レイヤー０、レイヤー１共に波長４０５ｎｍにおいて光吸収を持つ有機色素材料を用いる。更に、レイヤー１の色素については、波長６００ｎｍ〜８００ｎｍの範囲内のレーザ光を用いたＢＣＡ記録ができるように、６００ｎｍ〜８００ｎｍの範囲内にも光吸収を持つようにする。例えば、波長４０５ｎｍ近辺にのみ光吸収を持ったＬ０用色素（６００ｎｍ〜８００ｎｍの範囲で光吸収が小さいか殆どないグラフＡ）に対して、６００ｎｍ〜８００ｎｍの範囲内に光吸収を持つ色素を混ぜたもの（グラフＤ）をレイヤー１用色素とする。
【００３４】
このような混合色素（グラフＤ）はレイヤー１のＢＣＡ記録場所だけでもよいのだが、製造工程の簡略化（ひいては量産されるディスクの単価低減）のためには、レイヤー１全体に混合色素（グラフＤ）を用いるとよい。レイヤー１全体に混合色素（グラフＤ）を用いた場合、レイヤー１のＢＣＡ記録再生をレイヤー０越しに行えるのみならず、レイヤー１のデータ領域は、青系レーザによる高密度記録と赤系レーザによる（相対的な）低密度記録の双方に対応可能となる。
【００３５】
以上説明したように本実施例の追記型多層光ディスクにおいては、レイヤー０とレイヤー１との間の再生時の層間クロストークが少ないようなデータ記録配置を行っている。それに対応し、前述したＢＣＡのデータもレイヤー０またはレイヤー１のいずれか一方のみに記録する事で、ＢＣＡからの再生信号の層間クロストークの影響を低減させているところに大きな特長がある。
【００３６】
幾つかの実験を行った結果、ＢＣＡを形成する領域はレーザー光の入射方向に対して奧側に配置されているレイヤー１に記録する方が、ＢＣＡからの再生信号の層間クロストークの影響が相対的に低くなる事がわかった。従って、本実施例においてはＢＣＡをレーザー光の入射面に対して奥側であるレイヤー１内に形成する。
【００３７】
前述したように特開２００４−１５２４２９（特許文献１）では、ＢＣＡで反射膜をレーザー光で焼き切り、反射膜の有無でＢＣＡマークを形成しているが、しかしその方法では反射膜が焼き切られた部分での光反射量が大きくなり過ぎる。その為、図１０に示すような範囲の再生信号が得られなくなる。図１０については後述する。
【００３８】
このように本発明の追記型多層光ディスクではレイヤー１の光反射層を変形させることにより前述した最適な再生信号の範囲を得れるようにしている。またそれにより、ＢＣＡにおける層間クロストークの影響が除去され、より一層安定な再生信号が得られるようにしている。
【００３９】
図１ではレイヤー０とレイヤー１の記録層を簡略化して説明しているが、図１のレイヤー０とレイヤー１の記録膜構造を詳細に示した図が図８となる。
すなわち、図８に示すように、レーザー光が入射される側の透明基盤４０１の上にレイヤー０の記録膜が形成されるが、前記レイヤー０の記録膜は有機色素（アド金属錯体など）から形成されるレイヤー０の記録層４０３の上にレイヤー０の光半透過層４０５が形成された積層構造になっている。また、レイヤー０とレイヤー１の間にはスペースレイヤー４０７が配置されている。同様に、レイヤー１の記録膜構造としてはアド金属錯体などを材料とする有機色素系記録材料から構成されるレイヤー１の記録層４０９の上に、レイヤー１の光反射層４１１が積層された構造となる。
【００４０】
本発明における追記型多層光ディスクでは上記レイヤー１の光反射層４１１の上に支持用の基盤４１３が形成された構造となっている。
本実施例において、レイヤー１にＢＣＡ内のＢＣＡマークを形成する場合には、ＢＣＡ記録装置は図１に示すようにレイヤー１側にレーザー光を照射され、局所的に照射光量が増加する事によりＢＣＡマークが形成される。本実施例においては、この時にレイヤー１の記録層４０９が局所的に温められ、一部を気化させる。その時のエネルギーを利用し、局所的にレイヤー１の光反射層４１１を変形させ、図８に示すレイヤー１の光反射層４１１の変形領域４１５を形成させる。
【００４１】
従来の単層の追記型光ディスクにおいては、レーザー光の考量を大幅に上げることでレイヤー１の記録層４０９と光反射層４１１と共に削除し、ＢＣＡマークを形成していた。しかし、本実施例のようにレイヤー０とレイヤー１との積層構造を持つことにより、前述した記録膜を削除すると層間クロストークの影響が大きくなると共に、最適なＢＣＡからの再生信号が得れなくなる。従って、図１に示したＢＣＡ記録装置におけるレーザー光の露光量を制限することにより、図８に示すようにレイヤー１の光反射層４１１を除去せずに部分的に形状変形を起こさせるところに大きな特徴がある。
【００４２】
次に、本発明の追記型多層２層光ディスクに情報を記録又は再生するための光ディスクについて図９を用いて説明する。
図９に示すように、光ディスク１００は本発明の追記型多層光ディスクである。光源には短波長の半導体レーザ光源１２０が用いられる。その出射光の波長は、例えば４００ｎｍ〜４１０ｎｍの範囲の紫色波長帯のものである。半導体レーザ光源１２０からの出射光１０２は、コリメートレンズ１２１により平行光となり偏光ビームスプリッタ１２２、λ／４板１２３を透過して、対物レンズ１２４に入射される。その後、光ディスク１００の基板を透過し、各情報記録層に集光されるようになっている。光ディスク１００の情報記録層による反射光１０１は、再び光ディスク１００の基板を透過し、対物レンズ１２４、λ／４板１２３を透過し、偏光ビームスプリッタ１２２で反射された後、集光レンズ１２５を透過して光検出器１２６に入射される。
【００４３】
光検出器１２７の受光部は、通常複数に分割されておりそれぞれの受光部から光強度に応じた電流を出力する。出力された電流は、図示しないＩ／Ｖアンプ（電流電圧変換）により電圧に変換された後、演算回路１４０に入力される。入力された電圧信号は、演算回路１４０によりチルト誤差信号及びＨＦ信号及びフォーカス誤差信号及びトラック誤差信号などに演算処理される。チルト誤差信号はチルト制御を行うためのものであり、ＨＦ信号は光ディスクＤに記録された情報を再生するためのものであり、フォーカス誤差信号はフォーカス制御を行うためのものであり、またトラック誤差信号はトラッキング制御を行うためのものである。
【００４４】
対物レンズ１２４はアクチュエータ１２８にて上下方向、ディスクラジアル方向、およびチルト方向(ラジアル方向または／およびタンジェンシャル方向)に駆動可能であり、サーボドライバ１５０によって光ディスク１００上の情報トラックに追従するように制御される。なお、チルト方向には２種類ある。光ディスクの中心に向かってディスク面が傾くことで生じる「ラジアルチルト」と、トラックの接線方向に生じる「タンジェンシャルチルト」とがある。このうちディスクの反りで一般に生じるのはラジアルチルトである。単にディスク製造時に生じるチルトだけではなく、経年変化や使用環境の急変で生じるチルトも考慮する必要がある。このような記録再生装置を用いて、本発明の片面２層光ディスクを再生することができる。
【００４５】
次に、本発明の追記型多層光ディスクにおけるＢＣＡからの再生信号特性およびＢＣＡ内の記録されるデータ構造について説明する。
ここで、図１０は、ＢＣＡからの再生信号の波形図を表している。ＢＣＡ信号の測定時には、光学ヘッドから出射されるレーザー光の集光スポットが、記録層上に集光されている必要がある。下記ＢＣＡから得られる再生信号は、遮断周波数が５５０ｋＨｚの２次のローパス・ベッセル・フィルターでフィルタリングされる。情報記憶媒体内の中心から、半径２２．４ｍｍから２３．０ｍｍまでの間にＢＣＡの下記の信号特性が規定される。ＢＣＡからの再生信号は、図１０（ａ）の波形が得られ、ＢＣＡコード、チャネルビットが“０”の時の最大と最小レベルをIBHmaxとIBHminで定義し、ＢＣＡコード、チャンネルビット“１”の最大のボトムレベルをIBLmaxで定義する。また中間レベルを（IBHmin+IBLmax）/２で定義する。
【００４６】
本実施例では各検出信号特性を（IBLmax/IBHmin）が０．８以下になる条件と、（IBHmax/IBHmin）が１．４以下になる条件とする。ＢＣＡコード、チャネルビットの周期信号を図１０（ｂ）に示す。IBLとIBHの平均レベルを基準とし、ＢＣＡ信号がその基準位置をクロスする位置で、エッジ位置とみなす。ＢＣＡ信号の周期は、回転速度が２７６０ｒｐｍ（４６．０Ｈｚ）の時に規定される。図１０（ｂ）に示すように先頭エッジ（立ち下がり位置）間の周期を４．６３×ｎ±１．００μｓ、光量が低下する場所でのパルス位置の幅（立ち下がり位置から次の立ち上がり位置までの間隔）を１．５６±０．７５μｓとする。
【００４７】
ＢＣＡコードは、情報記憶媒体製造終了後に記録される場合が多い。しかし、ＢＣＡコードから再生される信号特性が図１０に示される信号特性を満足する場合には、ＢＣＡコードがプリピットとしてあらかじめ記録されていてもよい。ＢＣＡコードが情報記憶媒体の円周に沿った方向で記録され、パルス幅の狭い方向が光反射率の低い方向に一致されるように記録される。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。
【００４８】
図１１は、ＢＣＡデーター領域内に記録されたＢＣＡ情報内容例の説明図である。
図１１にＢＣＡデーター領域内に記録されたＢＣＡ情報内容の例を示す。ＢＣＡデータ領域ＢＣＡＡは、７６バイトの情報が記録可能となっており、データはＢＣＡレコードユニットＢＣＡＵ単位で記録される。このＢＣＡレコードユニット内ＢＣＡＵ内に記録される情報をＢＣＡレコードと呼ぶ。各ＢＣＡレコードのサイズは、４バイトの整数倍になっている。各ＢＣＡレコード内は図１１（ｃ）に示すように２バイトで構成されるＢＣＡレコードＩＤ６１と、１バイトで構成されるバージョン番号情報６２と、１バイトで構成される記録データのデータ長情報６３、４ｍバイトのデータレコード（記録データ６４）が順次記録される。ＢＣＡレコードＩＤ６１に設定されるＩＤは、0000h〜7FFFFhまでが公式利用方法に割り当てられ、8000hからFFFFhまでが個別な利用方法に割り当てられる。１バイトで構成されるバージョン番号情報６２は、上位４ビットのメジャー数字７１と、下位４ビットのマイナー数字７２に分けられる。メジャー数字７１はバージョン番号の整数一桁目が記録され、マイナー数字７２にはバージョン番号の小数点以下一桁目の値が記録される。例えばバージョン“２．４”の場合にはメジャー数字７１の欄に、“２”が記録されマイナー数字７２の欄には“４”の数字が記録される。
【００４９】
本実施例のフォーマットにおいては、前記ＢＣＡレコード内に図１１（ｅ）に示すように、ＨＤ_ＤＶＤ規格書タイプの識別情報８０が記録される。具体的にこの情報の内容は、図１１（ｆ）に示すようにＢＣＡレコードＩＤ８１とバージョン番号情報８２と記録データのデータ長情報８３が記録されるとともに、４ビットで構成される規格書タイプ情報８４と、４ビットで構成されるディスクタイプ情報８５と拡張パートバージョン情報８６（１バイト）とリザーブ領域８７（２バイト）が記録される。前記ディスクタイプ情報８５内の上位１ビットには、記録マークの極性（Ｈ→Ｌか、Ｌ→Ｈかの識別）情報８８が配置され、残り３ビットはリザーブ領域８９に割り当てられている。
【００５０】
図１１に示すデータ構造の別例として、次のような構成も可能である。すなわち、図１１（ｂ）のＢＣＡレコードユニットＢＣＡＵ＃１（８バイト）に記録されるＢＣＡレコードには、以下の情報を以下の順序で含むことができる：
【００５１】
（１）ＨＤ＿ＤＶＤブックタイプ識別子である２バイトの“BCA Record ID”
（２）バージョン番号を示す１バイトの“Version number”
（３）データ長を示す１バイトの“Data length”
（４）ブックタイプおよびディスクタイプを示す１バイトの“Book type and Disc typ
e”
（５）拡張部バージョンを示す１バイトの“Extended Part version”
（６）予約用の２バイト。
ここで、上記“Book type and Disc type”に含まれる“Disc type”は、“Mark polarity”および“Twin format flag”を記述できるように構成される。この“Disc type”に記述された“Mark polarity”は前述した「記録マークの極性情報８８」に対応した情報であり、“Mark polarity=0ｂ”のときは「マークからの信号がスペースからの信号より大きい」“Low-to-High disc”であることが示され、“Mark polarity=1ｂ”のときは「マークからの信号がスペースからの信号より小さい」“High-to-Low disc”であることが示される。
【００５２】
一方、“Disc type”に記述された“Twin format flag”は、該当ディスクがツインフォーマットディスクであるか否かを示す情報で、“Twin format flag=0ｂ”はツインフォーマットディスクでないことを示し、“Twin format flag=1ｂ”はツインフォーマットディスクであることを示す。ここで、「ツインフォーマットディスク」とは、該当ディスクが２つの記録再生層を持ち、各記録再生層に異なるフォーマット（ＤＶＤフォーラムで規定された別のフォーマット）が適用されるディスクをいう。この“Twin format flag”をＢＣＡレコードとして持つことにより、個々の多層ＨＤ＿ＤＶＤ−Ｒ（High Definition DVD Recordable）ディスクにおいて、そのディスクが単一フォーマットだけのディスクなのかマルチフォーマットのディスクなのかを容易に判別できる。
【００５３】
次に、層間クロストークについて説明する。
《層間クロストーク》
上述したように、片面多層記憶媒体は他のレイヤーからの反射光が再生信号に影響を与えるという問題（層間クロストーク）がある。詳しく説明すると、一方のレイヤー（例えばレイヤー１）を再生中に、その再生光束が照射される他方のレイヤー（例えばレイヤー０）の信号の記録状態が変化すると、そのクロストークによって再生中のレイヤー１の信号がオフセットするという問題が発生する。また、レイヤー１に信号を記録する場合、レイヤー０が記録済みであるか、未記録であるかによって最適な記録パワーが異なるという問題がある。これらの問題は、レイヤー０の記憶媒体の透過率及び反射率が記録状態と未記録状態で変化することや、光学的な収差を抑えるためにスペースレイヤーの厚みをあまり大きくできないことなどが原因で発生するが、このような特性を物理的に低減することは非常に難しい。そこで、本発明の光ディスクでは各層にクリアランス（記録状態一定領域）を設けたことにより、このような信号のオフセットが生じることが無いという特徴を持っている。
【００５４】
次に、クリアランスの定義について図１２及び図１３を用いて説明する。図１２はディスクのあるレイヤーの記録・再生中の他のレイヤー上の光線束を示す図であり、図１３は他のレイヤーの影響を防ぐクリアランスを説明するための図である。
【００５５】
《クリアランスの定義》
片面多層ディスクでは、ディスクのあるレイヤー上で集束する光束が、他のレイヤーにも拡散して、他のレイヤーや光の集束するレイヤーで反射する（図１２参照）。したがって、あるレイヤーの読み書きは、ディスクの他のレイヤーで反射する光の影響を受ける。この影響を回避するため、ディスクの他のレイヤーの状態を、記録マークの存在に関して一定にする必要がある。あるレイヤーの読み書きの質に影響を与える領域は、集束する点を基準として、ディスクの他のレイヤー上で明らかに定義する必要がある。こうして、レイヤー上のある箇所における読み書きは、ディスクの他のレイヤー上のこの領域の状態を一定に維持することにより、適切に行われることになる。この領域の径方向の距離を「クリアランス」と呼ぶ（図１３参照）。
【００５６】
クリアランスは、あるレイヤーに集束する光束の他のレイヤーにおける半径と、レイヤー０とレイヤー１との間の相対的な半径誤差の最大値と、レイヤー０とレイヤー１との間の相対的な半径方向ランアウトの最大値の３つの要素を考慮して、計算する必要がある。これらの値は、以下の通り定義される。
【００５７】
レイヤー０とレイヤー１との間の相対的な半径誤差の最大値と
Ｒｄｍａｘ＝４０μｍ
レイヤー０とレイヤー１との間の相対的な半径方向ランアウトの最大値
Ｒｒｍａｘ＝（４０＋６０）／２＝５０μｍ
トラック形状の真円からのずれ（径方向のランアウト）は、レイヤー０では４０μｍ（ピークツーピーク）、レイヤー１では６０μｍ（ピークツーピーク）なので、ディスクで平均をとると、５０μｍとなる。
【００５８】
あるレイヤーに集束する光束の他のレイヤーにおける半径の理論値
Ｒｃ_theoretical＝Ｔｓｌ´ｔａｎ（ｓｉｎ−１（ＮＡ／ｎ））＝１４μｍ
Ｔｓｌ（スペースレイヤーの厚さの最大値）＝３０μｍ
ＮＡ（開口数）＝０．６５
ｎ（スペースレイヤーの屈折率）＝１．５
実際の半径であるＲｃ_practicalは、光束の強度は中央部で最大となり、縁で最小となるので、有効半径としては約１０μｍであると考えてよい。
ディスクのクリアランスのＣｌは、以下の数式で計算される。
Ｃｌ
＝Ｒｄｍａｘ＋Ｒｒｍａｘ＋Ｒｃ_practical
＝１００μｍ
情報領域のフォーマットは、情報領域内の各エリアのエッジのクリアランスを考慮して構築される。
なお、図１３は位置ずれの例を示したに過ぎず、径方向の相対的なずれはレイヤー１では必ず外側にずれる訳ではなく、径方向ランアウトの相対的なずれはレイヤー０では必ず内側にずれる訳ではない。
【００５９】
次に、クリアランスの例（物理セクタ数）について図１４及び図１６を用いて説明する。
《クリアランスの例（物理セクタ数）》
互換性の観点からクリアランスを物理セクタ数で簡略的に表すことは有意義である。
図１４のＡＭが位置Ｍ（図１６参照）におけるクリアランス（物理セクタ数）を示す。
図１６はレイヤー０のある物理セクタ番号ＰＳＮとそれに対応するレイヤー１の記録可能な物理セクタを示す。レイヤー０とレイヤー１の物理セクタ番号はビット反転の関係がある。
【００６０】
次に、一般パラメータについて図１５を用いて説明する。
《一般パラメータ》
追記型片面１層ディスクと比較した追記型片面２層ディスクの一般パラメータを図１５に示す。
追記型片面２層ディスクの一般パラメータは１層ディスクの一般パラメータとほとんど同じであるが、以下の点で異なる。ユーザが使用可能な記録容量は３０ＧＢであり、データ領域の内半径がレイヤー０では２４．６ｍｍであり、レイヤー１では２４．７ｍｍであり、データ領域の外半径が５８．１ｍｍ（レイヤー０、レイヤー１共通）である。
【００６１】
次に、情報領域のフォーマットについて図２０を用いて説明する。図２０は物理セクタレイアウトと物理セクタ番号を示す図である。
《情報領域のフォーマット》
２層のレイヤーにわたって設けられる情報領域は７つの領域：システムリードイン領域、コネクション領域、データリードイン領域、データ領域、データリードアウト領域、システムリードアウト領域、ミドル領域からなる。各レイヤーにミドル領域が設けられることにより、再生ビームをレイヤー０からレイヤー１に移動させることができる（図２０参照）。データ領域はメインデータを記録する。システムリードイン領域は制御データと参照（リファレンス）コードとを含む。データリードアウト領域は連続するスムーズな読み出しを可能とする。
【００６２】
次に、リードアウト領域について説明する。
《リードアウト領域》
システムリードイン領域とシステムリードアウト領域はエンボスピットからなるトラックを含む。レイヤー０のデータリードイン領域、データ領域、ミドル領域と、レイヤー１のミドル領域、データ領域、データリードアウト領域はグルーブトラックを含む。グルーブトラックはレイヤー０のデータリードイン領域の開始位置からミドル領域の終了位置まで連続であり、レイヤー１のミドル領域の開始位置からデータリードアウト領域の終了位置まで連続である。なお、片面２層ディスクを張り合わせると、２つの読み出し面を有する両面２層ディスクとなる。
【００６３】
システムリードイン領域、システムリードアウト領域の各トラックはデータセグメントに分割される。
データリードイン領域、データ領域、データリードアウト領域、ミドル領域内のトラックはＰＳブロックに分割される。各ＰＳブロックは７物理セグメントに分割される。各物理セグメントは１１０６７バイトである。
【００６４】
次に、リードイン領域、リードアウト領域およびミドル領域について図１７及び図１８を用いて説明する。
《リードイン領域、リードアウト領域およびミドル領域》
リードイン領域とリードアウト領域の概要を図１７に示す。レイヤー０とレイヤー１の初期状態のミドル領域の概要を図１８に示す。ミドル領域のレイアウトは再配置によって変更可能であり、図１８は変更前のものである。リードイン領域、リードアウト領域およびミドル領域の各ゾーン、各エリアの境界はデータセグメントの境界と一致している必要がある。
【００６５】
レイヤー０の内周側には最内周から順にシステムリードイン領域、コネクション領域、データリードイン領域、データ領域が設けられる。レイヤー１の内周側には最内周から順にシステムリードアウト領域、コネクション領域、データリードアウト領域、データ領域が設けられる。このように、管理領域が含まれるデータリードイン領域はレイヤー０にしか設けられていないので、レイヤーＬ１でファイナライズした時、レイヤーＬ１の情報もレイヤーＬ０のデータリードイン領域に書く。これにより、起動時にレイヤーＬ０だけを読めば全部の管理情報が得られ、いちいちレイヤーＬ０、レイヤーＬ１を読まなくても良いという利点がある。なお、レイヤーＬ１にデータを記録するためには、レイヤーＬ０が全部書かれていなければならない。管理領域を埋めるのは、ファイナライズする時である。
【００６６】
レイヤー０のシステムリードイン領域は内周側から順にイニシャルゾーン、バッファーゾーン、制御（コントロール）データゾーン、バッファーゾーンからなる。レイヤー０のデータリードイン領域は内周側から順にブランクゾーン、ガードトラックゾーン、ドライブテストゾーン、ディスクテストゾーン、ブランクゾーン、ＲＭＤデュプリケーションゾーン、Ｌ−ＲＭＤ（記録位置管理データ）、Ｒ物理フォーマット情報ゾーン、参照コードゾーンからなる。レイヤー０のデータエリアの開始アドレス（内周側）とレイヤー１のデータエリアの終了アドレス（内周側）とはクリアランスの分だけずれており、レイヤー１のデータエリアの終了アドレス（内周側）の方がレイヤー０のデータエリアの開始アドレス（内周側）より外周側である。
【００６７】
レイヤー１のデータリードアウト領域は内周側から順にブランクゾーン、ディスクテストゾーン、ドライブテストゾーン、ガードトラックゾーンからなる。
ブランクゾーンは溝はあるが、データが記録されない領域である。ガードトラックゾーンはテストのための特定パターンを記録するゾーンであり、変調前のデータ“００”が記録される。レイヤー０のガードトラックゾーンはレイヤー１のディスクテストゾーン、ドライブテストゾーンの記録のために設けられる。そのため、レイヤー０のガードトラックゾーンはレイヤー１のディスクテストゾーン、ドライブテストゾーンに少なくともクリアランスを加えた範囲に対応している。レイヤー１のガードトラックゾーンはレイヤー０のドライブテストゾーン、ディスクテストゾーン、ブランクゾーン、ＲＭＤデュプリケーションゾーン、Ｌ−ＲＭＤ、Ｒ物理フォーマット情報ゾーン、参照コードゾーンの記録のために設けられる。そのため、レイヤー１のガードトラックゾーンはレイヤー０のドライブテストゾーン、ディスクテストゾーン、ブランクゾーン、ＲＭＤデュプリケーションゾーン、Ｌ−ＲＭＤ、Ｒ物理フォーマット情報ゾーン、参照コードゾーンに少なくともクリアランスを加えた範囲に対応している。
【００６８】
図１８に示すように、レイヤー０、レイヤー１のミドル領域はともに内周側から順にガードトラックゾーン、ドライブテストゾーン、ディスクテストゾーン、ブランクゾーンからなる。レイヤー０のガードトラックゾーンはレイヤー１のドライブテストゾーン、ディスクテストゾーンの記録のために設けられる。そのため、レイヤー０のガードトラックゾーンの終了位置はレイヤー１のディスクテストゾーンの開始位置よりも少なくともクリアランスの分だけ外周側に位置する。レイヤー１のブランクゾーンはレイヤー０のドライブテストゾーン、ディスクテストゾーンの記録のために設けられる。そのため、レイヤー１のブランクゾーンの終了位置はレイヤー０のドライブテストゾーンの開始位置よりも少なくともクリアランスの分だけ内周側に位置する。
【００６９】
次に、トラックパスについて図１９を用いて説明する。
《トラックパス》
本実施形態ではレイヤー０からレイヤー１への記録の連続性を維持するために、図１９に示すようなオポジットトラックパスが採用されている。シーケンシャル記録ではレイヤー０の記録が終了しないと、レイヤー１の記録に移らない。
【００７０】
次に、物理セクタレイアウトと物理セクタ番号について図２０を用いて説明する。
《物理セクタレイアウトと物理セクタ番号》
各ＰＳブロックは３２個の物理セクタを含む。片面２層ディスク用のＨＤ  ＤＶＤ−Ｒのレイヤー０の物理セクタ番号（ＰＳＮ）は、図２０に示すように、システムリードイン領域において連続的に増分し、データリードイン領域の最初からミドル領域の最後まで連続的に増分する。しかし、レイヤー１のＰＳＮは、レイヤー０の物理セクタ番号に対しては反転ビットを取り、ミドル領域（外側）の最初からデータリードアウト領域（内側）の最後まで連続的に増分し、システムリードアウト領域の外側からシステムリードアウト領域の内側まで連続的に増分する。
【００７１】
ビット反転の数値はビット値の“１”が“０”（逆も同様）になるように計算される。互いにＰＳＮがビット反転された各レイヤーの物理セクタは、ディスクの中心部からの距離がほぼ同じである。
【００７２】
ＰＳＮがＸの物理セクタは、Ｘを３２で割り、端数を切り捨てした値によって計算されたＰＳブロックアドレスのＰＳブロックに含まれる。
システムリードイン領域のＰＳＮは、システムリードイン領域の終了位置の物理セクタを“１３１０７１”（０１  ＦＦＦＦｈ）として計算する。
システムリードイン領域を除くレイヤー０のＰＳＮは、データリードイン領域の後のデータ領域の開始位置の物理セクタのＰＳＮを“２６２１４４”（０４  ００００ｈ）として計算する。システムリードアウト領域を除くレイヤー１のＰＳＮは、ミドル領域の後のデータ領域の開始位置の物理セクタのＰＳＮを“９１８４２５６”（８Ｃ  ２４００ｈ）として計算する。
【００７３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００７４】
【図１】追記型片面多層（２層）光ディスクのレイヤー１にバーストカッティングエリア（ＢＣＡ）が形成されることを説明する図。
【図２】図１のＢＣＡに記録されるＢＣＡレコードの内容例を説明する図。
【図３】図２のＢＣＡレコード等を含む特定情報を図１のＢＣＡに記録する装置の構成例を説明する図。
【図４】図１の追記型多層光ディスクのレイヤー１に特定情報（ＢＣＡレコード等）を記録する手順の一例を説明するフローチャート図。
【図５】図１の追記型多層光ディスクのレイヤー１に特定情報（ＢＣＡレコード等）を再生する手順の一例を説明するフローチャート図。
【図６】追記型多層光ディスクの製造工程例を説明する。
【図７】レイヤー０用色素材料にＣＤ−Ｒ／ＤＶＤ−Ｒ用色素材料を適量混合することによりレイヤー１のＢＣＡ用色素材料が得られることを説明する図。
【図８】本発明の一実施の形態に係る追記型多層光ディスクのレイヤー１の反射層の状態を示した。
【図９】本発明に係る追記型多層光ディスクに情報を記録または再生する光ディスク装置の概略構成図。
【図１０】バーストカッティング領域からの再生信号説明図。
【図１１】ＢＣＡデーター領域内に記録されたＢＣＡ情報内容例の説明図。
【図１２】ディスクのあるレイヤーの記録・再生中の他のレイヤー上の光線束を示す図。
【図１３】他のレイヤーの影響を防ぐクリアランスを説明するための図。
【図１４】クリアランス（物理セクタ数）を説明するための図。
【図１５】追記型情報記憶媒体における一般パラメータ設定例。
【図１６】レイヤー０のＰＳＮと、レイヤー１の対応する記録可能な物理セクタを示す図。
【図１７】リードイン領域、リードアウト領域の構成を示す図。
【図１８】当初のミドル領域の構成を示す図。
【図１９】トラックパスを示す図。
【図２０】物理セクタレイアウトと物理セクタ番号を示す図。
【符号の説明】
【００７５】
４０１…透明基板、４０３…レイヤー０の記録層、４０５…レイヤー０の半透過層、４０７…スペースレイヤー、４０９…レイヤー１の記録層、４１１…レイヤー１の光反射層、４１３…基板、４１５…レイヤー１の光反射層の変形領域
【図１】
2008010079.tif 000003
【図２】
2008010079.tif 000004
【図３】
2008010079.tif 000005
【図４】
2008010079.tif 000006
【図５】
2008010079.tif 000007
【図６】
2008010079.tif 000008
【図７】
2008010079.tif 000009
【図８】
2008010079.tif 000010
【図９】
2008010079.tif 000011
【図１０】
2008010079.tif 000012
【図１１】
2008010079.tif 000013
【図１２】
2008010079.tif 000014
【図１３】
2008010079.tif 000015
【図１４】
2008010079.tif 000016
【図１５】
2008010079.tif 000017
【図１６】
2008010079.tif 000018
【図１７】
2008010079.tif 000019
【図１８】
2008010079.tif 000020
【図１９】
2008010079.tif 000021
【図２０】
2008010079.tif 000022